Podtech/llm-jp-corpus-v4-ja_patent huggingface dataset:
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
種々の表示内容を連続的に変化させつつ表示し得る１又は２以上の表示手段と、その表示手段に前記表示内容を固定的に表示させるための表示固定手段とを有し、前記表示固定手段を遊技者が操作して前記表示手段に前記表示内容を固定的に表示させることができ、前記表示手段が固定的に表示した表示内容が所定の入賞条件を達成することと入賞とが対応するゲームを実行する遊技機であって、
前記ゲームとして、一般ゲームと、その一般ゲームよりも遊技者にとって有利な条件の１種又は２種以上の特別ゲームと、一般ゲームよりも遊技者にとって有利な条件の１種又は２種以上の特定特別ゲームを有し、
実行するゲームが所定の特定特別ゲームとなる特定特別ゲーム実行遊技状態を開始する開始手段と、
各特定特別ゲーム実行遊技状態について設けられた１又は２以上の終了条件の何れかが成立した場合にその特定特別ゲーム実行遊技状態を終了させる終了手段を有し、
各特定特別ゲーム実行遊技状態には複数の級が設けられ、前記開始手段は、１種又は２種以上の特定特別ゲーム実行遊技状態のうち何れかの特定特別ゲーム実行遊技状態における何れかの級を、何れの級であるかを遊技者に示さずに開始するものであり、
各特定特別ゲーム実行遊技状態についての終了条件の一部又は全部が、１種又は２種以上の特定終了条件であり、
特定終了条件は、特定特別ゲームの実行により増減する所定数量の数値が所定条件を満たすことにより満たされるものであって、
前記の各特定特別ゲーム実行遊技状態における複数の級は、前記所定条件を満たす数値に応じて設けられ、その数値は、各特定特別ゲーム実行遊技状態において級毎に異なるものであり、
各特定特別ゲーム実行遊技状態における２以上の級に対しそれぞれ１又は２以上の仮終了条件が設定されており、
その仮終了条件は、特定特別ゲームの実行により増減する仮終了用数量の数値が、所定仮条件を満たすことにより満たされるものであり、
前記仮終了用数量の数値が各所定仮条件を満たすに至った場合において、前記特定終了条件についての所定数量の数値が所定条件を満たすに至らないとき、
その都度特定特別ゲーム実行遊技状態継続可の表示を行う継続可否表示手段を有することを特徴とする遊技装置。
【手続補正書】
【提出日】平成19年8月15日(2007.8.15)
【手続補正１】
【補正対象書類名】明細書
【補正対象項目名】０００４
【補正方法】変更
【補正の内容】
【０００４】
トモシンセシスは、一般に、対称形の収集ジオメトリを用いて行われる。換言すれば、Ｘ線検出器の中心の上方と下方の掃引角度、又はＸ線検出器の中心線の一方の側と反対側との掃引角度は、通常、同一である。例えば、室内の寸法又は他の制限により、Ｘ線検出器の中心の下方に２０°掃引するのに十分な空間のみが許容される場合、対称形の画像収集を達成するために、既存のトモシンセシス・システムが、Ｘ線検出器の中心上方２０°のみを掃引することになる。従って、室内の寸法又は他の制限により、既存のトモシンセシス・システムにおいて可能な全掃引角度がかなり制限される可能性があることは明白である。室内の寸法、レイアウト等により可能な全掃引角度がそれほど制限されないように、非対称形の画像収集ジオメトリを用いるトモシンセシス・システムを有することが望ましい。例えば、Ｘ線検出器の中心の上方３０°及び下方２０°を、これが室内で許容される場合に非対称に掃引することができることは望ましいであろう。
【特許文献１】米国特許第６７５１２８４号
【手続補正書】
【提出日】平成19年8月16日(2007.8.16)
【手続補正１】
【補正対象書類名】明細書
【補正対象項目名】０００９
【補正方法】変更
【補正の内容】
【０００９】
したがって、膨張を必要とするような腔内プローブを利用してＭＲＳを実施すると、その空気・組織の界面のために、ＭＲＳスキャンから取得する情報を失わせたり、あるいは歪ませたりすることがあり得る。このため、画像を再構成するときに、医学的診断に最も重要な情報が失なわれることや、解読できないことがある。特にがんなどの疾病の診断に関しては、情報が失なわれたり解読できないことは厳しい結果を生じることになり得る。
【特許文献１】米国特許第５４１７２１３号
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
遊技領域を有する遊技盤と、前記遊技盤が組み付けられる本体基部とを備えた遊技機において、
前記遊技領域を視認可能とする開口部を備えた略四角形で枠状のベース板と、前記ベース板の前面に着脱自在に取り付けられ、前記ベース板の前面側に装飾を施す複数の装飾部材とを有し、前記本体基部の前面側に回動自在に軸着される前面扉を備え、
前記複数の装飾部材は、前記ベース板の面内方向で位置合わせされる位置合わせ用の前記装飾部材と、位置合わせされた前記装飾部材が挿入されてこれを露呈する開口が形成された固定用の前記装飾部材とを備え、
前記位置合わせ用の装飾部材を前記ベース板に位置合わせした後に前記固定用の装飾部材が前記ベース板に固定されることを特徴とする遊技機。
【手続補正２】
【補正対象書類名】明細書
【補正対象項目名】０００８
【補正方法】変更
【補正の内容】
【０００８】
上記目的を達成するために、本発明の遊技機は、遊技領域を有する遊技盤と、前記遊技盤が組み付けられる本体基部とを備えた遊技機において、前記遊技領域を視認可能とする開口部を備えた略四角形で枠状のベース板と、前記ベース板の前面に着脱自在に取り付けられ、前記ベース板の前面側に装飾を施す複数の装飾部材とを有し、前記本体基部の前面側に回動自在に軸着される前面扉を備え、前記複数の装飾部材は、前記ベース板の面内方向で位置合わせされる位置合わせ用の前記装飾部材と、位置合わせされた前記装飾部材が挿入されてこれを露呈する開口が形成された固定用の前記装飾部材とを備え、前記位置合わせ用の装飾部材を前記ベース板に位置合わせした後に前記固定用の装飾部材が前記ベース板に固定されることを特徴とするものである。
【手続補正３】
【補正対象書類名】明細書
【補正対象項目名】００１０
【補正方法】変更
【補正の内容】
【００１０】
本発明によれば、強度部材に着脱自在に装着される装飾部材の全てをネジなどを用いて強度部材に個別に保持しなくともよく、したがって、複数の装飾部材から構成される前面扉を簡便に組み立て及び分解することができる。
【手続補正４】
【補正対象書類名】明細書
【補正対象項目名】００１１
【補正方法】変更
【補正の内容】
【００１１】
また、保持する対象である装飾部材を堅固に保持することができる。
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
遊技領域を有する遊技盤と、前記遊技盤が組み付けられる本体基部とを備えた遊技機において、
前記遊技領域を視認可能とする開口部を備えた略四角形で枠状のベース板と、前記ベース板の前面に着脱自在に取り付けられ、前記ベース板の前面側に装飾を施す複数の装飾部材とを有し、前記本体基部の前面側に回動自在に軸着される前面扉を備え、
前記装飾部材を、前記ベース板の上辺及び下辺に取り付けた後に、前記ベース板の左辺及び右辺に水平方向のスライドによって取り付け、前記左辺及び前記右辺に取り付けた前記装飾部材が前記上辺及び前記下辺に取り付けた前記装飾部材とベース板との間に嵌り込むことを特徴とする遊技機。
【手続補正２】
【補正対象書類名】明細書
【補正対象項目名】０００７
【補正方法】変更
【補正の内容】
【０００７】
上記目的を達成するために、本発明の遊技機は、遊技領域を有する遊技盤と、前記遊技盤が組み付けられる本体基部とを備えた遊技機において、前記遊技領域を視認可能とする開口部を備えた略四角形で枠状のベース板と、前記ベース板の前面に着脱自在に取り付けられ、前記ベース板の前面側に装飾を施す複数の装飾部材とを有し、前記本体基部の前面側に回動自在に軸着される前面扉を備え、前記装飾部材を、前記ベース板の上辺及び下辺に取り付けた後に、前記ベース板の左辺及び右辺に水平方向のスライドによって取り付け、前記左辺及び前記右辺に取り付けた前記装飾部材が前記上辺及び前記下辺に取り付けた前記装飾部材と前記ベース板との間に嵌り込むことを特徴とするものである。
【手続補正３】
【補正対象書類名】明細書
【補正対象項目名】０００９
【補正方法】変更
【補正の内容】
【０００９】
本発明によれば、前面扉の構造的強度を強度部材によって維持しながら、装飾部材を簡便に着脱自在なものとし、前面扉のコストダウンやリサイクル性を高めることができる。
【手続補正４】
【補正対象書類名】明細書
【補正対象項目名】００１０
【補正方法】変更
【補正の内容】
【００１０】
また、装飾部材を全て交換することなく、前面扉のデザインを変更したり、破損した前面扉を修繕することができ、即ち、前面扉のコストダウンやリサイクル性を高めることができる。
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
計測空間側に凹部が設けられた少なくとも一つの静磁場発生器を有する静磁場発生手段と、前記凹部に少なくともその一部が収容された高周波磁場発生手段と傾斜磁場発生手段を有する磁気共鳴イメージング装置において、
前記高周波磁場発生手段は、高周波磁場を発生させる高周波電気回路が配置された第１の平板と、前記静磁場の均一性を高める静磁場補正手段が配置された第２の平板とを有し、
前記第１の平板が前記第２の平板よりも前記計測空間側に配置され、
前記第１の平板は前記第２の平板に着脱可能に取り付けられていることを特徴とする磁気共鳴イメージング装置。
【請求項２】
請求項１に記載の磁気共鳴イメージング装置において、前記静磁場補正手段はシム部材であり、前記第２の平板は少なくとも１つの前記シム部材を着脱可能な構造を有することを特徴とする磁気共鳴イメージング装置。
【請求項３】
請求項２に記載の磁気共鳴イメージング装置において、前記第１の平板と前記第２の平板との間に、前記シム部材を覆うように電気導体を配置したことを特徴とする磁気共鳴イメージング装置。
【手続補正２】
【補正対象書類名】明細書
【補正対象項目名】００１３
【補正方法】変更
【補正の内容】
【００１３】
上記課題を解決するために、本発明は以下の様に構成される。即ち
（１）計測空間側に凹部が設けられた少なくとも一つの静磁場発生器を有する静磁場発生手段と、前記凹部に少なくともその一部が収容された高周波磁場発生手段と傾斜磁場発生手段を有するＭＲＩ装置において、
前記高周波磁場発生手段は、高周波磁場を発生させる高周波電気回路が配置された第１の平板と、前記静磁場の均一性を高める静磁場補正手段が配置された第2の平板とを有し、前記第1の平板が前記第２の平板よりも前記計測空間側に配置され、前記第1の平板は前記第2の平板に着脱可能である。（請求項1）。
【手続補正３】
【補正対象書類名】明細書
【補正対象項目名】００１４
【補正方法】変更
【補正の内容】
【００１４】
特に、前記静磁場補正手段はシム部材であり、前記第2の平板は少なくとも1つの前記シム部材を着脱可能な構造を有する（請求項2）。
これにより、第1の平板を取り外して、第2の平板における静磁場補正手段の調整を行う作業を容易に繰り返すことができるようになる。特に静磁場補正手段をシム部材とする場合は、その着脱を容易に行うことができる構造とすることで、シム部材の配置位置と配置量を調整して静磁場均一度を向上させる所謂シミング作業が容易になり、シミング作業を繰り返して高い静磁場均一度を達成することが容易になる。その結果、前記第１の目的を達成することができる。
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
個々に撮影された左右の乳房画像を取得する画像取得手段と、
乳房画像に付帯された左右の別を示す情報に基づいて、前記乳房画像が左右いずれの乳房画像であるかを判別する判別手段と、
前記判別結果に基づいて、左右の乳房画像毎に回転処理を施すと共に、左右の乳房画像を一の画像データに合成する画像合成手段と、
を備えることを特徴とする医用画像処理システム。
【請求項２】
前記画像合成手段は、左右の乳房画像の胸壁側が互いに対向する位置に乳房画像を配置させて、画像データを合成することを特徴とする請求項１記載の医用画像処理システム。
【請求項３】
前記合成された画像データを記録媒体に記録する画像記録手段を備えることを特徴とする請求項１記載の医用画像処理システム。
【請求項４】
放射線源から照射され被写体を通過した放射線画像を検出する放射線検出器を着脱可能に保持する保持手段と、
前記放射線検出器が前記保持手段に所定の方向にて保持されたかを検出する検出手段と、
前記検出手段により、放射線検出器が前記保持手段に所定の方向にて保持されたと検出された場合に、乳房への放射線の照射を制御して左右毎の乳房画像を撮影し、前記放射線検出器に左右毎の乳房画像を記録させる制御手段と、
前記放射線検出器から左右の乳房画像を取得する画像取得手段と、
前記乳房画像に左右の別を示す情報を付帯させる付帯手段と、
乳房画像に付帯された左右の別を示す情報に基づいて、前記乳房画像が左右いずれの乳房画像であるかを判別する判別手段と、
前記判別結果に基づいて、左右の乳房画像毎に回転処理を施した後、左右の乳房画像を一の画像データに合成する画像合成手段と、
を備えることを特徴とする医用画像処理システム。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項４記載の発明は、
放射線源から照射され被写体を通過した放射線画像を検出する放射線検出器を着脱可能に保持する保持手段と、
前記放射線検出器が前記保持手段に所定の方向にて保持されたかを検出する検出手段と、
前記検出手段により、放射線検出器が前記保持手段に所定の方向にて保持されたと検出された場合に、乳房への放射線の照射を制御して左右毎の乳房画像を撮影し、前記放射線検出器に左右毎の乳房画像を記録させる制御手段と、
前記放射線検出器から左右の乳房画像を取得する画像取得手段と、
前記乳房画像に左右の別を示す情報を付帯させる付帯手段と、
乳房画像に付帯された左右の別を示す情報に基づいて、前記乳房画像が左右いずれの乳房画像であるかを判別する判別手段と、
前記判別結果に基づいて、左右の乳房画像毎に回転処理を施した後、左右の乳房画像を一の画像データに合成する画像合成手段と、
を備えることを特徴としている。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
請求項４記載の発明によれば、放射線検出器が保持手段に正しい方向にて保持されていない場合、乳房画像の撮影が行えないため、誤った方向の乳房画像が撮影されることを防止することができ、左右の乳房画像を合成して画像データを生成する場合に、正確な位置、方向が特定された左右の乳房画像を一の画像データとして出力することができる。
【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
本体と、該本体に着脱自在に収納される内釜と、該内釜を電磁誘導加熱する誘導加熱コイルと、前記内釜を着脱自在に覆う内蓋を設けた炊飯器において、
前記内釜は、セラミック製からなる内釜本体と、
該内釜本体外底面を含む内釜本体外面に形成された白金、銀、パラジウム、ニッケル、炭化ケイ素、カンタルの少なくとも一つを含有し形成された発熱層と、
酸化ケイ素、酸化ホウ素、酸化ナトリウム、酸化カリウムのいずれかを含有し前記発熱層を被覆するように形成された保護層とを備えたことを特徴とする炊飯器。
【請求項２】
本体と、該本体に着脱自在に収納される内釜と、該内釜を電磁誘導加熱する誘導加熱コイルと、前記内釜を着脱自在に覆う内蓋を設けた炊飯器において、
前記内蓋は、セラミック製からなる内蓋本体と、該内蓋本体の下面から上面へ貫通するように設けられた多孔質セラミックからなる蒸気放出孔とを備えたことを特徴とする炊飯器。
【手続補正２】
【補正対象書類名】明細書
【補正対象項目名】０００７
【補正方法】変更
【補正の内容】
【０００７】
更に、従来の炊飯器では、内蓋７５の穴（図示せず）は、単に炊飯中の蒸気を外部に放出するためにのみ穿たれており、ご飯の美味しさの一つであるおねば（炊飯中にでるのり状のもの）が蒸気とともに外部へ放出されるという問題点があった。
【手続補正３】
【補正対象書類名】明細書
【補正対象項目名】０００８
【補正方法】変更
【補正の内容】
【０００８】
本発明は、上記第１の課題を解決するために、内釜本体は陶磁器等のセラミックで形成し、内釜本体外底面を含む外面には磁性金属材料よりなる発熱層を均一に形成し、発熱層全体を覆うように保護層を形成したものである。
【手続補正４】
【補正対象書類名】明細書
【補正対象項目名】００１０
【補正方法】変更
【補正の内容】
【００１０】
更に、上記第２の課題を解決するために、本発明は、内蓋の蒸気放出孔を多孔質セラミックで形成したものである。
【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
遊技に関する所定の制御を司る制御手段及び電気部品との間で信号を送信又は受信を行うための端子部を具備してなる制御基板と、
被包壁部を有し、前記端子部が前記被包壁部から露出かつ突出した状態で前記制御基板を被包する被包部材と
を備え、前記被包部材が相手先部材に装着されてなり、前記端子部には前記電気部品に電気的に接続されてなるケーブルコネクタのコネクタが接続された遊技機において、
少なくとも前記端子部に接続された前記コネクタを覆うようにして被覆手段を取付けるとともに、
前記被覆手段は、前記コネクタの周囲側の面を覆う周壁部と、
前記周壁部のコネクタの抜け方向側の面を塞ぐようにして一体形成されたカバー壁部と、
前記カバー壁部とは反対側において、前記被包部材及び前記相手先部材の少なくとも一方に係止される係止部とを具備し、
前記被覆手段の取付状態においては、前記コネクタへの外部からの接触がほぼ不能となるよう前記周壁部及びカバー壁部で前記コネクタを閉塞するとともに、前記コネクタから延びるケーブルを導出させるための隙間を確保するよう構成したことを特徴とする遊技機。
【請求項２】
遊技に関する所定の制御を司る制御手段及び電気部品との間で信号を送信又は受信を行うための端子部を具備してなる制御基板と、
被包壁部及び当該被包壁部に対し略直交する直交被包壁部を有し、前記端子部が前記被包壁部から露出かつ突出した状態で前記制御基板を被包する被包部材と
を備え、前記被包部材が相手先部材に装着されてなり、前記端子部には前記電気部品に電気的に接続されてなるケーブルコネクタのコネクタが接続された遊技機において、
少なくとも前記端子部に接続された前記コネクタを覆うようにして被覆手段を取付けるとともに、
前記被覆手段は、前記コネクタの周囲側の面を覆う筒状の周壁部と、
前記周壁部のコネクタの抜け方向側の面を塞ぐようにして一体形成されたカバー壁部と、
前記カバー壁部とは反対側において、前記相手先部材に係止される係止部とを具備し、
前記カバー壁部の少なくとも一部が前記被包部材の被包壁部に対し当接させられた状態で前記係止部が前記相手先部材に係止されることで、前記被覆手段が取付けられており、
当該被覆手段の取付状態においては、前記コネクタへの外部からの接触がほぼ不能となるよう前記周壁部及びカバー壁部で前記コネクタを閉塞する一方で、前記コネクタから延びるケーブルを導出させるための隙間を確保するよう構成したことを特徴とする遊技機。
【請求項３】
前記係止部は、前記カバー壁部に対し直交する方向に突出するアーム部と、前記アーム部の先端部に設けられ、前記相手先部材に対し係止される係止爪とからなることを特徴とする請求項１又は２に記載の遊技機。
【請求項４】
前記被覆手段のカバー壁部及び前記被包部材双方に跨るようにして封印手段を取着したことを特徴とする請求項１乃至３のいずれかに記載の遊技機。
【請求項５】
前記カバー壁部は略矩形板状をなし、
前記周壁部は、前記カバー壁部の一側から延びる天壁部と、
前記カバー壁部の他側から延びる支持壁部と、
前記天壁部及び支持壁部間を連結する一対の側壁部と
を具備することを特徴とする請求項１乃至４のいずれかに記載の遊技機。
【請求項６】
前記ケーブルは、前記天壁部側又は側壁部側から導出されており、少なくとも前記隙間を構成する部位は、前記天壁部又は側壁部よりも膨出して又は張出して形成されていることを特徴とする請求項５に記載の遊技機。
【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
遊技に関する所定の制御を司る制御手段及び電気部品との間で信号を送信又は受信を行うための端子部を具備してなる制御基板と、
第１被包壁部及び当該第１被包壁部に対し略直交する第２被包壁部を有し、前記端子部が前記第１被包壁部から露出かつ突出した状態で前記制御基板を被包する被包部材と
を備え、前記被包部材が相手先部材に装着されてなり、前記端子部には前記電気部品に電気的に接続されてなるケーブルコネクタのコネクタが接続された遊技機において、
少なくとも前記端子部に接続された前記コネクタを覆う被覆手段を、前記被包部材及び前記相手先部材の少なくとも一方に係止状態で取付けるとともに、
前記被覆手段は、前記コネクタの抜け方向側の面を覆う略矩形状のカバー壁部と、
前記カバー壁部の一側縁から、当該カバー壁部に対し直交する方向に突出するアーム部と、
前記アーム部の先端部に設けられた係止爪と、
前記カバー壁部の前記アーム部とは別の位置から、当該カバー壁部に対し直交する方向に延びる支持壁部とを具備し、
前記被覆手段の取付状態においては、前記支持壁部が、前記第２被包壁部と前記コネクタ又は端子部とによりほぼ挟持されるよう構成したことを特徴とする遊技機。
【請求項２】
遊技に関する所定の制御を司る制御手段及び電気部品との間で信号を送信又は受信を行うための端子部を具備してなる制御基板と、
第１被包壁部及び当該第１被包壁部に対し略直交する第２被包壁部を有し、前記端子部が前記第１被包壁部から露出かつ突出した状態で前記制御基板を被包する被包部材と
を備え、前記被包部材が相手先部材に装着されてなり、前記端子部には前記電気部品に電気的に接続されてなるケーブルコネクタのコネクタが接続された遊技機において、
少なくとも前記端子部に接続された前記コネクタを覆う被覆手段を取付けるとともに、
前記被覆手段は、前記コネクタの抜け方向側の面を覆う略矩形状のカバー壁部と、
前記カバー壁部の一側縁から、当該カバー壁部に対し直交する方向に突出するアーム部と、
前記アーム部の先端部に設けられ、前記相手先部材に対し係止される係止部と、
前記カバー壁部の他側縁から、当該カバー壁部に対し直交する方向に延び、先端が前記被包部材の前記第１被包壁部に当接する支持壁部とを具備し、
前記被覆手段の取付状態においては、前記支持壁部が、前記第２被包壁部と前記コネクタ又は端子部とによりほぼ挟持されるよう構成したことを特徴とする遊技機。
【請求項３】
前記被覆手段のカバー壁部及び前記被包部材双方に跨るようにして封印手段を取着したことを特徴とする請求項１又は２に記載の遊技機。
【請求項４】
前記封印手段は、剥離に際し痕跡が残る痕跡残存シールであることを特徴とする請求項３に記載の遊技機。
【請求項５】
前記コネクタと前記カバー壁部との距離を、前記コネクタの取り外しに必要な距離よりも短く設定したことを特徴とする請求項１乃至４のいずれかに記載の遊技機。
【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
可撓性を有し、細長な挿入部を備えた内視鏡と、
該内視鏡の先端部分に設けられる湾曲操作される湾曲部と、
該湾曲部から夫々延出し、前記湾曲部を少なくとも２つの方向に湾曲操作する一対の操作ワイヤと、
該一対の操作ワイヤが巻回されるプーリユニットと、
前記プーリユニットを回動自在に支軸する軸部材と
が設けられている内視鏡装置であって、
前記プーリユニットの回転軸に略直交する平面内において、前記回転軸から外周側に向けて、前記プーリユニットの外周面部から突起する第１の突部と、
前記プーリユニットの前記外周から離間した位置に設けられ、前記第１の突部が当接する第２の突部と、を有していることを特徴とする内視鏡装置。
【請求項２】
前記一対の操作ワイヤは、夫々基端部に設けられた口金部を有し、
前記プーリユニットは、前記各口金部を係脱自在に保持することにより、前記一対の操作ワイヤを牽引弛緩して前記湾曲部を湾曲操作する係止部を有していることを特徴とする請求項１に記載の内視鏡装置。
【請求項３】
前記プーリユニットは、前記第２の突部を少なくとも１つ有し、
前記第１の突部は、前記少なくとも１つの前記第２の突部と当接することを特徴とする請求項１又は請求項２に記載の内視鏡装置。
【請求項４】
さらに、前記第２の突部が取り付けられる取付部材を有し、
該取付部材は、前記第２の突部の位置を変更できるように、複数の取付部を有していることを特徴とする請求項１から請求項３のいずれかに記載の内視鏡装置。
【請求項５】
前記一対の操作ワイヤが初期状態とされている位置を基準位置として、
前記第２の突部は、当接される前記第１の突部の一方向の回動量と、前記第１の突部の前記一方向と逆の方向の回動量が同じになるように夫々位置決めされ、設けられていることを特徴とする請求項１から請求項４のいずれかに記載の内視鏡装置。
【請求項６】
前記一対の操作ワイヤが初期状態とされている位置を基準位置として、前記第２の突部は、当接される前記第１の突部の一方向の回動量と、前記第１の突部の前記一方向と逆の方向の回動量が異なるように夫々位置決めされ、設けられていることを特徴とする請求項１から請求項５のいずれかに記載の内視鏡装置。
【請求項７】
前記プーリユニットは、２枚の略円板状部を有し、
前記略円板状部の少なくとも１つは、前記第１の突部の位置を変更できるように、複数の取付部を有していることを特徴とする請求項１から請求項６のいずれかに記載の内視鏡装置。
【請求項８】
前記２枚のうち少なくとも１枚の略円板状部は、前記プーリユニットの回転軸に略直交する平面内において、前記回転軸から外周側に同じ方向において突起する第１の突部を有していることを請求項７に記載の内視鏡装置。
【請求項９】
前記２枚の略円板状部は、夫々前記プーリユニットの回転軸に略直交する平面内において、前記回転軸から外周側に異なった方向において突起する第１の突部を有していることを特徴とする請求項７又は請求項８に記載の内視鏡装置。
【請求項１０】
前記２枚の略円板状部は、夫々が一体となるように連結している前記第１の突部を有していることを特徴とする請求項７から請求項９のいずれかに記載の内視鏡装置。
【請求項１１】
可撓性を有し、細長な挿入部を備えた内視鏡と、
該内視鏡の先端部分に設けられる湾曲操作される湾曲部と、
該湾曲部から夫々延出し、前記湾曲部を少なくとも２つの方向に湾曲操作する一対の操作ワイヤと、
略円板状部を有し、前記一対の操作ワイヤが巻回されるプーリユニットと、
前記プーリユニットを回動自在に支軸する軸部材と、
該軸部材を回動自在に保持する保持部材と
が設けられている内視鏡装置であって、
前記回動軸上に前記プーリユニットと相対し、外周方向に突起する第１の突部を有する略円板状部材が設けられ、
前記保持部材には、前記第１の突部と当接する第２の突部が設けられることを特徴とする内視鏡装置。
【請求項１２】
前記保持部材は、前記操作ワイヤが挿通する挿通路の一部を形成する板状部材であることを特徴とする請求項１１に記載の内視鏡装置。
【請求項１３】
前記軸部材は、前記プーリユニットを回動させるモータユニットの出力軸であって、
前記保持部材は、前記プーリユニットを保持する前記板状部材であることを特徴とする請求項１１又は請求項１２に記載の内視鏡装置。
【請求項１４】
前記第２の突部は、前記モータユニットのケーシングの一面に少なくとも１つ設けられることを特徴とする請求項１３に記載の内視鏡装置。
【請求項１５】
前記保持部材と前記モータユニットの間には、保持板が設けられ、
前記第２の突部は、前記保持板の一面に少なくとも１つ設けられることを特徴とする請求項１３又は請求項１４に記載の内視鏡装置。
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
交流電力を直流電力に変換するコンバータユニットと、前記直流電力を交流制御電力に変換してサーボモータを駆動する複数のサーボアンプユニットを備えた多軸サーボドライブ装置において、
前記コンバータユニットおよび前記サーボアンプユニットは、それぞれ個別にケーブル接続することが可能な電気配線用のコネクタを有しており、
各々のユニットに設けた前記電気配線用のコネクタは、各コネクタ間を接続するために必要な回路配線を予め施した回路基板を有するマウントベース上に嵌合接続されており、
前記回路基板は、前記直流電力を分散配備された前記サーボアンプユニットへ出力するための直流電力用コネクタと、前記複数のサーボアンプユニットからサーボモータへの動力線を一つに統合して接続するサーボモータ動力線用コネクタを有することを特徴とする多軸サーボドライブ装置。
【請求項２】
請求項１記載の多軸サーボドライブ装置において、
前記サーボアンプユニットは、ネットワークサーボを構成するものであり、
前記回路基板は、前記サーボアンプユニットと別置きのマスターユニットとをネットワークで接続するためのネットワーク接続コネクタを有することを特徴とする多軸サーボドライブ装置。
【手続補正２】
【補正対象書類名】明細書
【補正対象項目名】０００４
【補正方法】変更
【補正の内容】
【０００４】
上記問題を解決するため、請求項１記載の発明は、交流電力を直流電力に変換するコンバータユニットと、前記直流電力を交流制御電力に変換してサーボモータを駆動する複数のサーボアンプユニットを備えた多軸サーボドライブ装置において、前記コンバータユニットおよび前記サーボアンプユニットは、それぞれ個別にケーブル接続することが可能な電気配線用のコネクタを有しており、各々のユニットに設けた前記電気配線用のコネクタは、各コネクタ間を接続するために必要な回路配線を予め施した回路基板を有するマウントベース上に嵌合接続されており、前記回路基板は、前記直流電力を分散配備された前記サーボアンプユニットへ出力するための直流電力用コネクタと、前記複数のサーボアンプユニットからサーボモータへの動力線を一つに統合して接続するサーボモータ動力線用コネクタを有することを特徴としている。
また、請求項２記載の発明は、請求項１記載の多軸サーボドライブ装置において、前記サーボアンプユニットは、ネットワークサーボを構成するものであり、前記回路基板は、前記サーボアンプユニットと別置きのマスターユニットとをネットワークで接続するためのネットワーク接続コネクタを有することを特徴としている。
【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
遊技機製品又は部品（以下、遊技機製品等）を梱包する遊技機梱包箱であって、
少なくとも一つの面に開口部を設けた箱状の本体と、
その本体の開口部に対して開閉可能に設けられた蓋体と、
前記本体に収納された少なくとも一つの前記遊技機製品等と前記蓋体とを不可逆的に連結する紐状部材と
を備えたことを特徴とする遊技機梱包箱。
【請求項２】
前記蓋体を前記本体の開口部に対して閉じた状態で前記紐状部材がほぼ弛みの無い状態となるように、前記紐状部材の長さが設定されたことを特徴とする請求項１に記載の遊技機梱包箱。
【請求項３】
前記紐状部材は、前記本体を経由して前記遊技機製品等と前記蓋体とを不可逆的に連結することを特徴とする請求項１又は２に記載の遊技機梱包箱。
【請求項４】
前記紐状部材は、前記本体に収納された全ての前記遊技機製品等と前記蓋体とを不可逆的に連結することを特徴とする請求項１乃至３のいずれかに記載の遊技機梱包箱。
【請求項５】
前記紐状部材は、一方の端部が前記遊技機製品等に係止され且つ他方の端部が前記蓋体に不可逆的に係止されたことを特徴とする請求項１乃至３のいずれかに記載の遊技機梱包箱。
【請求項６】
前記紐状部材は、一方の端部が前記遊技機製品等に係止される第一の紐状部材と、一方の端部が前記蓋体に係止される第二の紐状部材とからなり、
前記第一の紐状部材の他方の端部と前記第二の紐状部材の他方の端部とが互いに不可逆的に締結されることを特徴とする請求項１乃至５のいずれかに記載の遊技機梱包箱。
【請求項７】
前記遊技機製品等及び前記蓋体には、前記紐状部材を挿通可能な挿通孔がそれぞれ形成され、
前記紐状部材は、前記各挿通孔に挿通された状態で両端部が互いに不可逆的に締結されてループ状とされることを特徴とする請求項１乃至３のいずれかに記載の遊技機梱包箱。
【手続補正書】
【提出日】平成19年2月21日(2007.2.21)
【手続補正１】
【補正対象書類名】特許請求の範囲
【補正対象項目名】請求項１
【補正方法】変更
【補正の内容】
【請求項１】
気体を封入した風船と、この風船に一端が接続され上記気体の逆流防止手段を有する第１の継手と、この第１の継手に着脱自在に挿着され、上記第１の継手との接続により上記気体の逆流防止手段を開放する解除手段を有する第２の継手と、上記風船から排出される排気の状態を感知する第１の感知手段、または上記風船の縮退過程で風船の所定位置到達を感知する第２の感知手段とを備えたことを特徴とする風船タイマー。
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
挿入部先端の外周部にバルーンを取り付けた内視鏡の前記バルーンにエアを供給するポンプと、
前記バルーンへの送気または吸気流量を検出する流量カウンタと、
前記流量カウンタによる検出結果に基づき前記ポンプを動作させて前記バルーンへの送気または吸気流量を制御する制御手段を含む内視鏡バルーン制御装置であって、
前記流量カウンタは、一定時間毎に流量カウンタ値をカウントし、
前記流量カウンタ値は、任意に設定可能であり、
前記制御手段は、前記流量カウンタによる前記流量カウンタ値のカウント結果と、所定の閾値とを比較することにより前記ポンプの動作を制御することを特徴とする内視鏡バルーン制御装置。
【請求項２】
内視鏡を挿通させるオーバーチューブの先端外周部に設けられたバルーンにエアを供給するポンプと、
前記バルーンへの送気または吸気流量を検出する流量カウンタと、
前記流量カウンタによる検出結果に基づき前記ポンプを動作させて前記バルーンへの送気または吸気流量を制御する制御手段を含む内視鏡バルーン制御装置であって、
前記流量カウンタは、一定時間毎に流量カウンタ値をカウントし、
前記流量カウンタ値は、任意に設定可能であり、
前記制御手段は、前記流量カウンタによる前記流量カウンタ値のカウント結果と、所定の閾値とを比較することにより前記ポンプの動作を制御することを特徴とする内視鏡バルーン制御装置。
【請求項３】
内視鏡挿入部の先端外周部に設けられた第１バルーン及び、前記内視鏡を挿通させるオーバーチューブの先端外周部に設けられた第２バルーンにエアを供給するポンプと、
前記第１および第２バルーンへの送気または吸気流量を検出する流量カウンタと、
前記流量カウンタによる検出結果に基づき前記ポンプを動作させて前記第１および第２バルーンへの送気または吸気流量を制御する制御手段を含む内視鏡バルーン制御装置であって、
前記流量カウンタは、一定時間毎に流量カウンタ値をカウントし、
前記流量カウンタ値は、任意に設定可能であり、
前記制御手段は、前記流量カウンタによる前記流量カウンタ値のカウント結果と、所定の閾値とを比較することにより前記ポンプの動作を制御することを特徴とする内視鏡バルーン制御装置。
【請求項４】
前記カウンタ値の設定値が、送気または吸気流量である請求項１から３のいずれか一つに記載の内視鏡バルーン制御装置。
【請求項５】
前記制御手段は、前記流量カウンタによる前記流量カウンタ値のカウント結果が、所定の閾値を超えた場合に前記ポンプの動作を停止させる請求項１から４のいずれか一つに記載の内視鏡バルーン制御装置。
【手続補正２】
【補正対象書類名】明細書
【補正対象項目名】０００８
【補正方法】変更
【補正の内容】
【０００８】
前記目的を達成するために請求項１に記載の内視鏡バルーン制御装置は、挿入部先端の外周部にバルーンを取り付けた内視鏡の前記バルーンにエアを供給するポンプと、前記バルーンへの送気または吸気流量を検出する流量カウンタと、前記流量カウンタによる検出結果に基づき前記ポンプを動作させて前記バルーンへの送気または吸気流量を制御する制御手段を含む内視鏡バルーン制御装置であって、前記流量カウンタは、一定時間毎に流量カウンタ値をカウントし、前記流量カウンタ値は、任意に設定可能であり、前記制御手段は、前記流量カウンタによる前記流量カウンタ値のカウント結果と、所定の閾値とを比較することにより前記ポンプの動作を制御することを特徴とする。
【手続補正３】
【補正対象書類名】明細書
【補正対象項目名】０００９
【補正方法】変更
【補正の内容】
【０００９】
請求項２に記載の内視鏡バルーン制御装置は、内視鏡を挿通させるオーバーチューブの先端外周部に設けられたバルーンにエアを供給するポンプと、前記バルーンへの送気または吸気流量を検出する流量カウンタと、前記流量カウンタによる検出結果に基づき前記ポンプを動作させて前記バルーンへの送気または吸気流量を制御する制御手段を含む内視鏡バルーン制御装置であって、前記流量カウンタは、一定時間毎に流量カウンタ値をカウントし、前記流量カウンタ値は、任意に設定可能であり、前記制御手段は、前記流量カウンタによる前記流量カウンタ値のカウント結果と、所定の閾値とを比較することにより前記ポンプの動作を制御することを特徴とする。
【手続補正４】
【補正対象書類名】明細書
【補正対象項目名】００１０
【補正方法】変更
【補正の内容】
【００１０】
請求項３に記載の内視鏡バルーン制御装置は、内視鏡挿入部の先端外周部に設けられた第１バルーン及び、前記内視鏡を挿通させるオーバーチューブの先端外周部に設けられた第２バルーンにエアを供給するポンプと、前記第１および第２バルーンへの送気または吸気流量を検出する流量カウンタと、前記流量カウンタによる検出結果に基づき前記ポンプを動作させて前記第１および第２バルーンへの送気または吸気流量を制御する制御手段を含む内視鏡バルーン制御装置であって、前記流量カウンタは、一定時間毎に流量カウンタ値をカウントし、前記流量カウンタ値は、任意に設定可能であり、前記制御手段は、前記流量カウンタによる前記流量カウンタ値のカウント結果と、所定の閾値とを比較することにより前記ポンプの動作を制御することを特徴とする。
【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
金属製のフェース板と金属製のソール板とを別々に成形する金属部材成形工程と、フェース板とソール板とを一体化するとともに、フェース板およびソール板にプリプレグを予備賦形したプリフォームを接合する接合工程と、これらを成形型内に配置し、内圧成形する内圧成形工程とを含むゴルフクラブヘッドの製造方法であって、
前記金属部材成形工程にて、フェース板および／またはソール板に係合部を形成し、前記接合工程にて、フェース板とソール板とを係合部で係合する、ゴルフクラブヘッドの製造方法。
【請求項２】
金属部材成形工程では、フェース板にフランジを形成するとともに、そのフランジの端部に係合部を形成する請求項１に記載のゴルフクラブヘッドの製造方法。
【請求項３】
予備賦形の前に、プリプレグに予め切れ目を形成しておく請求項１または２に記載のゴルフクラブヘッドの製造方法。
【手続補正２】
【補正対象書類名】明細書
【補正対象項目名】発明の名称
【補正方法】変更
【補正の内容】
【発明の名称】ゴルフクラブヘッドの製造方法
【手続補正３】
【補正対象書類名】明細書
【補正対象項目名】０００４
【補正方法】変更
【補正の内容】
【０００４】
本発明のゴルフクラブヘッドの製造方法は、金属製のフェース板と金属製のソール板とを別々に成形する金属部材成形工程と、フェース板とソール板とを一体化するとともに、フェース板およびソール板にプリプレグを予備賦形したプリフォームを接合する接合工程と、これらを成形型内に配置し、内圧成形する内圧成形工程とを含むゴルフクラブヘッドの製造方法であって、
金属部材成形工程にて、フェース板および／またはソール板に係合部を形成し、接合工程にて、フェース板とソール板とを係合部で係合する、ゴルフクラブヘッドの製造方法である。
【手続補正書】
【提出日】平成19年2月9日(2007.2.9)
【手続補正１】
【補正対象書類名】特許請求の範囲
【補正対象項目名】請求項１
【補正方法】変更
【補正の内容】
【請求項１】
リール本体に片持ちにシャフトを設け、当該シャフトの基端部に回転可能且つ摺動不能に転がり型一方向回転クラッチの内輪を軸支し、当該転がり型一方向回転クラッチの軸方向の向きを反転させて当該転がり型一方向クラッチの外輪の一端側または他端側を選択的に上記リール本体に設けたブレーキ機構と連携するように設け、前記シャフトの先端部に回転可能に軸支するスプールの着脱にて当該スプールが前記転がり型一方向回転クラッチの内輪と一体的に回転可能に係合或いは係合解除しうるように設けたことを特徴とする片軸受リールの左右巻方向切換機構。
【手続補正２】
【補正対象書類名】明細書
【補正対象項目名】０００９
【補正方法】変更
【補正の内容】
【０００９】
本発明に係る片軸受リールの左右巻方向切換機構は、リール本体に片持ちにシャフトを設け、当該シャフトの基端部に回転可能且つ摺動不能に転がり型一方向回転クラッチの内輪を軸支し、当該転がり型一方向回転クラッチの軸方向の向きを反転させて当該転がり型一方向クラッチの外輪の一端側または他端側を選択的に上記リール本体に設けたブレーキ機構と連携するように設け、前記シャフトの先端部に回転可能に軸支するスプールの着脱にて当該スプールが前記転がり型一方向回転クラッチの内輪と一体的に回転可能に係合或いは係合解除しうるように設けたことを特徴とするものです。
【手続補正書】
【提出日】平成19年3月9日(2007.3.9)
【手続補正１】
【補正対象書類名】明細書
【補正対象項目名】０００５
【補正方法】変更
【補正の内容】
【０００５】
他方、光触媒粒子と樹脂基体との接触を防ぐために、光触媒微粒子表面を他の無機物で被覆する方法も提案されているが、光触媒活性が低下するなどの問題があり、さらには、スパッタリング法により樹脂基体表面にバリヤ性に優れた緻密なケイ素酸化物や酸化アルミニウムなどの無機被膜を形成する方法も提案されているが、樹脂基体と無機被膜の熱膨張係数の違いや樹脂の種類によっては、接着性に優れた無機被膜を形成することは困難であり、また、スパッタリングにより発生する熱による樹脂基体の変形や、生産性が低いなど、様々な解決しなければならない問題が残されていた。
【手続補正２】
【補正対象書類名】明細書
【補正対象項目名】００１６
【補正方法】変更
【補正の内容】
【００１６】
本発明によれば、少なくとも基体表面が樹脂からなる光触媒体の製造方法であって、基体の表面に対して、光触媒微粒子が、シランカップリング剤を介した化学結合によって固定化され、さらに、樹脂表面と光触媒微粒子の間にはアルコキシ基の加水分解で形成したシラノール基が脱水縮合して形成された酸化ケイ素の緻密な薄膜や無機微粒子からなる緻密な薄膜が形成されていることから、この緻密な酸化ケイ素や無機微粒子の薄膜は光触媒粒子と樹脂基体との直接接触を阻止するため、樹脂基体表面は光触媒粒子の持つ強い酸化、還元作用を受けないので、充分な耐久性を保持した光触媒体を製造して提供することが可能となる。
【手続補正３】
【補正対象書類名】明細書
【補正対象項目名】００２１
【補正方法】変更
【補正の内容】
【００２１】
酸化チタンの結晶構造はルチル型、アナダーセ型、ブルッカイト型、その他、無定形であっても本発明では問わない。また、酸化チタンの一部の酸素原子がアニオンである窒素原子で置換されたＴｉＯ２-ｘＮｘや酸素原子が欠落して化学量論比から著しく外れたＴｉＯ２-ｘ（Xは1.0以下）なども用いられる。
【手続補正４】
【補正対象書類名】明細書
【補正対象項目名】００２４
【補正方法】変更
【補正の内容】
【００２４】
また、光触媒微粒子とともに、銀、銅、亜鉛などの金属およびそれらの化合物から選ばれる1種以上の抗菌性を有する材料からなる微粒子、デービト鉱、センウラン鉱、ブランネル石、ニンギョウ石、リンカイウラン石、カルノー石、ツャムン石、メタチャムン石、フランセビル石、トール石、コフィン石、サマルスキー石、トリウム石、トロゴム石、サマルスキー石、トリウム石、トロゴム石、モナズ石、タンタル石、バデライト、イルメナイトなどの放射性希有元素を微量含有する天然放射性希有元素鉱物や、これらの鉱物の一部を精製して得られる電融ジルコニアなどのマイナスイオンを発生する材料からなる微粒子、Ａｌ２Ｏ３、ＴｉＯ２、ＺｒＯ２、ＳｉＯ２、Ｆｅ２Ｏ３、ＣｏＯ、ＣｕＯ、ＭｇＯなどの金属酸化物やこれらの混合物、例えば、コージライト、βスポジューメン、チタン酸アルミニウムなどの遠赤外線を放出する材料の微粒子、ＬａＢ６、ＣｅＢ６、ＮｄＢ６、ＳｎＯ２、Ｉｎ２Ｏ３、酸化ルテニウム、酸化レニウムなどの近赤外線を吸収する材料からなる微粒子など、様々な機能を有する材料からなる微粒子を複数混合して用いても良い。
【手続補正５】
【補正対象書類名】明細書
【補正対象項目名】００４７
【補正方法】変更
【補正の内容】
【００４７】
第三の発明における好適な方法としては、予め基体表面にシランカップリング剤を、γ線、電子線、紫外線などの放射線の同時照射法や前照射法によりグラフト重合してシランカップリング剤からなるコーティング薄膜を形成した後、シランカップリング剤が結合された微粒子が分散した溶液を、前記基体表面のコーティング薄膜上に塗布し、その後、放射線を照射することにより、グラフト重合により微粒子を基体表面に結合させる方法により製造される。この場合でも、シランカップリング剤を基体表面に塗布し、必要に応じて溶剤を加熱乾燥などの方法により除去したコーティング薄膜上に、シランカップリング剤が結合された微粒子が分散した溶液を塗布し、放射線を照射することにより、グラフト重合により微粒子を基体表面に結合させる方法で製造することも可能である。
【手続補正６】
【補正対象書類名】明細書
【補正対象項目名】００５６
【補正方法】変更
【補正の内容】
【００５６】
また、１２５μmのポリエステルフィルム（ルミラー（東レ(株)登録商標））の表面に、前記光触媒微粒子分散溶液をバーコーターで塗布し、１２０℃、３分間乾燥した。次に、光触媒微粒子分散液を塗布したポリエステルフィルムに電子線を２００ｋＶの加速電圧で５Ｍｒａｄ照射することで、光触媒微粒子をシランカップリング剤のグラフト重合によりポリエステルフィルム表面に結合させた光触媒体を得た。
【手続補正７】
【補正対象書類名】明細書
【補正対象項目名】００７８
【補正方法】変更
【補正の内容】
【００７８】
以上説明したように、本発明の製造方法は、シランカップリング剤のグラフト重合等の化学結合により光触媒微粒子を樹脂表面に固定化する方法であり、シランカップリング剤のアルコキシ基の加水分解により生成したシラノール基が、光触媒微粒子の表面に脱水縮合反応で強固に化学的に結合し、さらに、シランカップリング剤のビニル基、エポキシ基、スチリル基、メタクリロ基、アクリロキシ基、イソシアネート基などの不飽和二重結合を有する官能基が、例えば放射線の照射により生成したラジカルによるグラフト重合等の化学結合で樹脂基体表面に化学的に結合することによってなされている。よって、製造された光触媒微粒子は樹脂基体表面にシランカップリング剤により化学的な結合で強固に結合させることから、本発明方法によれば、過酷な環境で使用しても様々な機能を有する微粒子の脱離などが起こり難い耐久性に優れた微粒子固定化体を供給することが可能となる。さらに、光触媒粒子と樹脂基体との間には、シランカップリング剤に存在するアルコキシ基の加水分解で形成したシラノール基が、脱水縮合して酸化ケイ素の緻密な薄膜を形成していることから、これらの薄膜は光触媒粒子表面に発生したヒドロキシラジカルの樹脂基体との直接接触を阻害するため、樹脂基体表面は光触媒粒子の持つ強い酸化、還元作用を受けない。また、本発明では、透明性に優れた光触媒体が製造できることから、様々な分野に応用しても、それらの外観意匠性を損なうことがなく、処理条件を選択することにより繊維やそれらからなる構造体の風合いを損なうことも無いなど、様々な分野に応用できる実用性に優れた有用な光触媒体の製造方法を提供することが可能となる。